(57)【要約】【課題】作像部の耐久や使用環境等に応じて、感光体上の滑剤量を適切な量に維持することで、作像部の長期にわたる安定したクリーニング性を確保し、長寿命化を実現可能な潤滑剤塗布装置を備えた画像形成装置及びプログラムを提供する。【解決手段】滑剤棒１０２と、感光体４１に供給された滑剤を押圧して被膜化するクリーニング装置４８と、クリーニング装置に対して感光体の表面の進行方向上流側に配置され、滑剤棒から削り取った滑剤を感光体に供給するとともに、感光体に付着した残留トナーを除去する塗布ブラシ１０１と、塗布ブラシに接触し、塗布ブラシに付着したトナーを回収する回収ローラー１０４と、塗布ブラシによる感光体上の残留トナーの除去性と、回収ローラーによる塗布ブラシ上の残留トナーの回収性と、をそれぞれ変更することで、感光体上の滑剤量を制御する制御部１０と、を備える。【選択図】図４
2019124724.tif 000002
【特許請求の範囲】
【請求項１】
トナー像を作像する作像部において、像担持体に潤滑剤を塗布する潤滑剤塗布装置を有する画像形成装置であって、
前記潤滑剤塗布装置が、
粉体状の潤滑剤を固形化した滑剤棒と、
前記像担持体に供給された潤滑剤を押圧して被膜化するクリーニング装置に対して前記像担持体の表面の進行方向上流側に配置され、前記滑剤棒から削り取った潤滑剤を像担持体に供給するとともに、前記像担持体に付着した残留トナーを除去する塗布部材と、
前記塗布部材に接触し、前記塗布部材に付着したトナーを回収する回収部材と、
を備え、
前記画像形成装置が、
前記塗布部材による前記像担持体上の残留トナーの除去性と、前記回収部材による前記塗布部材上の残留トナーの回収性と、をそれぞれ変更することで、前記像担持体上の滑剤量を制御する制御部、を備える
ことを特徴とする画像形成装置。
【請求項２】
前記潤滑剤塗布装置が、
前記塗布部材に電圧を印加する第１電圧印加部と、
前記回収部材に電圧を印加する第２電圧印加部と、を備えるものであり、
前記制御部は、
前記第１電圧印加部により前記塗布部材に印加される電圧の第１印加電圧値と、前記第２電圧印加部により前記回収部材に印加される電圧の第２印加電圧値と、をそれぞれ変更することにより、前記除去性及び前記回収性を変更する
ことを特徴とする請求項１に記載の画像形成装置。
【請求項３】
前記制御部は、
前記第１印加電圧値と前記第２印加電圧値とが各々設定された第１のモード、第２のモード及び第３のモードのいずれかを実行し、
前記第１のモードにおける前記第１印加電圧値と前記第２印加電圧値との差が、前記第２のモードにおける前記第１印加電圧値と前記第２印加電圧値との差よりも大きく、
前記第３のモードにおける前記第１印加電圧値が、前記第１のモード及び前記第２のモードにおける第１印加電圧値よりも小さい
ことを特徴とする請求項２に記載の画像形成装置。
【請求項４】
前記第１印加電圧値ＶＢＲ及び前記第２印加電圧値ＶＦＬは、第１のモード、第２のモード及び第３のモードにおいて、それぞれ以下の式（１）、（２）及び（３）を満たすことを特徴とする請求項３に記載の画像形成装置。
第１のモード：｜ＶＦＬ｜＞｜ＶＢＲ｜＞０Ｖ  ・・・（１）
第２のモード：ＶＦＬ＝ＶＢＲ＞０Ｖ          ・・・（２）
第３のモード：｜ＶＦＬ｜＞｜ＶＢＲ｜＝０Ｖ  ・・・（３）
【請求項５】
前記制御部は、
前記作像部の駆動時間が所定の駆動時間を上回った場合に、前記第１のモードから前記第２のモードに切り替える
ことを特徴とする請求項３又は４に記載の画像形成装置。
【請求項６】
前記制御部は、
前記滑剤棒の消費量が所定の消費量を上回った場合に、前記第１のモードから前記第２のモードに切り替える
ことを特徴とする請求項３又は４に記載の画像形成装置。
【請求項７】
前記制御部は、
前記作像部近傍の絶対湿度が所定の絶対湿度を上回った場合に、前記第１のモード又は前記第２のモードから前記第３のモードに切り替え、
前記作像部近傍の絶対湿度が前記所定の絶対湿度を下回った場合に、前記第３のモードから前記第１のモード又は前記第２のモードに切り替える
ことを特徴とする請求項３から６のいずれか一項に記載の画像形成装置。
【請求項８】
前記潤滑剤塗布装置の
前記塗布部材が、前記像担持体に接触して回転する塗布ブラシであり、
前記回収部材が、前記塗布部材に接触して回転する回収ローラーであり、
前記制御部は、
前記塗布部材の回転数と、前記回収部材の回転数と、をそれぞれ変更することにより、前記除去性及び前記回収性を変更する
ことを特徴とする請求項１に記載の画像形成装置。
【請求項９】
粉体状の潤滑剤を固形化した滑剤棒と、前記滑剤棒から削り取った潤滑剤を像担持体に供給するとともに、前記像担持体に付着した残留トナーを除去する塗布部材と、前記塗布部材に接触し、前記塗布部材に付着したトナーを回収する回収部材と、を備え、前記像担持体に供給された潤滑剤を押圧して被膜化するクリーニング装置に対し、像担持体表面の進行方向上流側に配置される潤滑剤塗布装置を備える画像形成装置のコンピューターに使用されるプログラムであって、
該プログラムは、前記塗布部材による前記像担持体上の残留トナーの除去性と、前記回収部材による前記塗布部材上の残留トナーの回収性と、をそれぞれ変更して、前記像担持体上の滑剤量を制御する制御部として機能するものであることを特徴とするプログラム。
【発明の詳細な説明】
【技術分野】
【０００１】
本発明は、潤滑剤塗布装置を備えた画像形成装置及びプログラムに関する。
【背景技術】
【０００２】
従来、トナーのクリーニング性を高めるとともに感光体膜厚の減耗を抑える目的で、感光体に潤滑剤（以降、滑剤と表記する）を塗布する技術が知られている。具体的には、感光体に当接して回転するブラシ（塗布ブラシ）が、ステアリン酸亜鉛からなる固形物である滑剤に圧接されて滑剤を削り取り、そのまま感光体まで搬送して感光体に滑剤を供給する。感光体に供給された滑剤粉は、その下流に配置されたゴムブレード（クリーニングブレード）で引き伸ばされて感光体上に成膜され、滑剤層となる。
【０００３】
作像ユニットの状態によって、感光体上の滑剤量を多くしたり、あるいは少なくしたりすることが望まれる。たとえば作像ユニットのライフ末期において、クリーニングブレードの摩耗が進行するとトナーや外添剤がすり抜け易くなり、それに伴う不具合が発生するため、より滑剤量を多くすることでそれらのすり抜けを抑制することが有効である。また画像流れが発生しやすい高温高湿環境では、滑剤量を少なくし像流れの原因物質である放電生成物を削り落としてリフレッシュすることで、効果的に像流れを抑制できる。
【０００４】
塗布ブラシがクリーニングブレードに対して感光体の回転方向上流側に配置される上流塗布の場合、滑剤量の制御は、塗布ブラシの除去性、つまりクリーニングブレードに到達するトナー量を制御することと、回収性、つまり塗布ブラシの汚れ状態を制御することで達成できる。除去性及び回収性を制御する方法として、塗布ブラシに印加する電圧を制御する方法がある。たとえば特許文献１には、塗布ブラシと、塗布ブラシに接触しながら回転し、塗布ブラシに付着したトナーを回収する回収ローラーと、を有する滑剤塗布装置において、塗布ブラシにトナーと逆極性の電圧を印加するとともに、回収ローラーには塗布ブラシからトナーを回収する回収電界を形成する電圧を印加する技術が開示されている。上記の構成により塗布ブラシの除去性が向上し、塗布ブラシに付着したトナーが確実に除去される。その結果、回収ローラーの回収性が向上し、クリーニングブレードに到達するトナー量を減少させることができる。
【先行技術文献】
【特許文献】
【０００５】
【特許文献１】特開２００９−４２２９５号公報
【発明の概要】
【発明が解決しようとする課題】
【０００６】
しかしながら、特許文献１の方法では、クリーニングブレードに到達するトナー量が増加するように制御することは難しい。クリーニングブレードに到達するトナー量が不足すると、クリーニングブレードによる潤滑剤の除去効率が低下するため、感光体上で滑剤過多となる。さらに、塗布ブラシ及び回収ローラーに印加する電圧を一律に制御する方法では、高温高湿条件下に感光体上の滑剤量を減少させたい場合など、環境に応じた制御を行うことが難しい。
【０００７】
本発明は上記課題に鑑みてなされたものであって、作像部の耐久や使用環境等に応じて、感光体上の滑剤量を適切な量に維持することで、作像部の長期にわたる安定したクリーニング性を確保し、長寿命化を実現可能な潤滑剤塗布装置を備えた画像形成装置及びプログラムを提供することを目的とする。
【課題を解決するための手段】
【０００８】
上記課題を解決するため、請求項１に記載の画像形成装置は、
トナー像を作像する作像部において、像担持体に潤滑剤を塗布する潤滑剤塗布装置を有する画像形成装置であって、
前記潤滑剤塗布装置が、
粉体状の潤滑剤を固形化した滑剤棒と、
前記像担持体に供給された潤滑剤を押圧して被膜化するクリーニング装置に対して前記像担持体の表面の進行方向上流側に配置され、前記滑剤棒から削り取った潤滑剤を像担持体に供給するとともに、前記像担持体に付着した残留トナーを除去する塗布部材と、
前記塗布部材に接触し、前記塗布部材に付着したトナーを回収する回収部材と、
を備え、
前記画像形成装置が、
前記塗布部材による前記像担持体上の残留トナーの除去性と、前記回収部材による前記塗布部材上の残留トナーの回収性と、をそれぞれ変更することで、前記像担持体上の滑剤量を制御する制御部、を備える
ことを特徴とする。
【０００９】
請求項２に記載の発明は、請求項１に記載の画像形成装置において、
前記潤滑剤塗布装置が、
前記塗布部材に電圧を印加する第１電圧印加部と、
前記回収部材に電圧を印加する第２電圧印加部と、を備えるものであり、
前記制御部は、
前記第１電圧印加部により前記塗布部材に印加される電圧の第１印加電圧値と、前記第２電圧印加部により前記回収部材に印加される電圧の第２印加電圧値と、をそれぞれ変更することにより、前記除去性及び前記回収性を変更する
ことを特徴とする。
【００１０】
請求項３に記載の発明は、請求項２に記載の画像形成装置において、
前記制御部は、
前記第１印加電圧値と前記第２印加電圧値とが各々設定された第１のモード、第２のモード及び第３のモードのいずれかを実行し、
前記第１のモードにおける前記第１印加電圧値と前記第２印加電圧値との差が、前記第２のモードにおける前記第１印加電圧値と前記第２印加電圧値との差よりも大きく、
前記第３のモードにおける前記第１印加電圧値が、前記第１のモード及び前記第２のモードにおける第１印加電圧値よりも小さい
ことを特徴とする。
【００１１】
請求項４に記載の発明は、請求項３に記載の画像形成装置において、
前記第１印加電圧値ＶＢＲ及び前記第２印加電圧値ＶＦＬは、第１のモード、第２のモード及び第３のモードにおいて、それぞれ以下の式（１）、（２）及び（３）を満たすことを特徴とする。
第１のモード：｜ＶＦＬ｜＞｜ＶＢＲ｜＞０Ｖ  ・・・（１）
第２のモード：ＶＦＬ＝ＶＢＲ＞０Ｖ          ・・・（２）
第３のモード：｜ＶＦＬ｜＞｜ＶＢＲ｜＝０Ｖ  ・・・（３）
【００１２】
請求項５に記載の発明は、請求項３又は４に記載の画像形成装置において、
前記制御部は、
前記作像部の駆動時間が所定の駆動時間を上回った場合に、前記第１のモードから前記第２のモードに切り替える
ことを特徴とする。
【００１３】
請求項６に記載の発明は、請求項３又は４に記載の画像形成装置において、
前記制御部は、
前記滑剤棒の消費量が所定の消費量を上回った場合に、前記第１のモードから前記第２のモードに切り替える
ことを特徴とする。
【００１４】
請求項７に記載の発明は、請求項３から６のいずれか一項に記載の画像形成装置において、
前記制御部は、
前記作像部近傍の絶対湿度が所定の絶対湿度を上回った場合に、前記第１のモード又は前記第２のモードから前記第３のモードに切り替え、
前記作像部近傍の絶対湿度が前記所定の絶対湿度を下回った場合に、前記第３のモードから前記第１のモード又は前記第２のモードに切り替える
ことを特徴とする。
【００１５】
請求項８に記載の発明は、請求項１に記載の画像形成装置において、
前記潤滑剤塗布装置の
前記塗布部材が、前記像担持体に接触して回転する塗布ブラシであり、
前記回収部材が、前記塗布部材に接触して回転する回収ローラーであり、
前記制御部は、
前記塗布部材の回転数と、前記回収部材の回転数と、をそれぞれ変更することにより、前記除去性及び前記回収性を変更する
ことを特徴とする。
【００１６】
請求項９に記載のプログラムは、
粉体状の潤滑剤を固形化した滑剤棒と、前記滑剤棒から削り取った潤滑剤を像担持体に供給するとともに、前記像担持体に付着した残留トナーを除去する塗布部材と、前記塗布部材に接触し、前記塗布部材に付着したトナーを回収する回収部材と、を備え、前記像担持体に供給された潤滑剤を押圧して被膜化するクリーニング装置に対し、像担持体表面の進行方向上流側に配置される潤滑剤塗布装置を備える画像形成装置のコンピューターに使用されるプログラムであって、
該プログラムは、前記塗布部材による前記像担持体上の残留トナーの除去性と、前記回収部材による前記塗布部材上の残留トナーの回収性と、をそれぞれ変更して、前記像担持体上の滑剤量を制御する制御部として機能するものであることを特徴とする。
【発明の効果】
【００１７】
本発明によれば、作像部の耐久や使用環境等に応じて、感光体上の滑剤量を適切な量に維持することで、作像部の長期にわたる安定したクリーニング性を確保し、長寿命化を実現可能な潤滑剤塗布装置を備えた画像形成装置及びプログラムを提供することができる。
【図面の簡単な説明】
【００１８】
【図１】本実施形態に係る画像形成装置の概略構成を示す図である。
【図２】画像形成部の概略構成を示す図である。
【図３】本実施形態に係る画像形成装置の制御構造を示す機能ブロック図である。
【図４】潤滑剤塗布装置の概略構成を示す図である。
【図５】モード１、モード２及びモード３の各々の実行時における感光体上滑剤量を示す図である。
【図６】本実施形態に係る画像形成装置の動作を示すフローチャートである。
【発明を実施するための形態】
【００１９】
以下、本発明の実施の形態について、図面を参照して詳細に説明する。
【００２０】
［画像形成装置の構成］
本実施形態に係る画像形成装置１は、電子写真プロセス技術を利用した中間転写方式のカラー画像形成装置であり、図１〜図３に示すように、自動原稿搬送部２と、スキャナー部３と、画像形成部４と、給紙部５と、記憶部６と、操作表示部７と、温湿度検出部８と、制御部１０と、を備えて構成されている。
【００２１】
自動原稿搬送部２は、原稿Ｄを載置する載置トレイ、原稿Ｄを搬送する機構及び搬送ローラー等を備えて構成され、原稿Ｄを所定の搬送路に搬送する。
スキャナー部３は、光源や反射鏡等の光学系を備えて構成され、所定の搬送路を搬送された原稿Ｄ又はプラテンガラスに載置された原稿Ｄに光源を照射し、反射光を受光する。また、スキャナー部３は、受光した反射光を電気信号に変換して制御部１０に出力する。
【００２２】
画像形成部４は、イエロー作像部Ｙと、マゼンタ作像部Ｍと、シアン作像部Ｃと、ブラック作像部Ｋと、中間転写ベルトＴと、定着装置Ｆと、を備えて構成されている。
各作像部ＹＭＣＫは、それぞれイエロー、マゼンタ、シアン、ブラックのトナー像を感光体４１に形成し、感光体４１に形成されたＹＭＣＫ各色のトナー像を中間転写ベルトＴに一次転写する。
なお、各作像部ＹＭＣＫの構成及び動作は何れも同様であるため、以下、イエロー作像部Ｙを例に挙げて、画像形成部４が行う一連の画像形成動作について説明する。
【００２３】
感光体（像担持体）４１は、ドラム状の金属基体の外周面に有機光導電体を含有させた樹脂からなる感光層が形成された有機感光体により構成され、図中ａ方向に回転駆動される。感光層を構成する樹脂としては、例えば、ポリカーボネート樹脂、シリコーン樹脂、ポリスチレン樹脂、アクリル樹脂、メタクリル樹脂、エポキシ樹脂、ポリウレタン樹脂、塩化ビニル樹脂、メラミン樹脂等が挙げられる。
【００２４】
帯電装置４２は、帯電チャージャーを用いて感光体４１を一定の電位に帯電する。
露光装置４３は、制御部１０からの画像データＤｙに基づいて感光体４１の非画像領域を露光して露光した部分の電荷を除去し、感光体４１の画像領域に静電潜像を形成する。
【００２５】
現像装置４４は、感光体４１と現像領域を介して対向するように配置された現像スリーブ４４ａを備える。現像スリーブ４４ａには、例えば、帯電装置４２の帯電極性と同極性の直流現像バイアス、又は交流電圧に帯電装置４２の帯電極性と同極性の直流電圧が重畳された現像バイアスが印加され、これにより、感光体４１に形成された静電潜像上に現像剤を供給し、感光体４１にイエローのトナー像を形成する。なお、現像剤は、トナーと、トナーを帯電するためのキャリアと、を含む。トナーは特に限定されず、一般に使用されている公知のトナーを使用することができる。例えば、バインダー樹脂中に、着色剤や必要に応じて荷電制御剤や離型剤等を含有させ、外添剤を処理させたものを使用することができる。トナー粒径は、特に限定されるものではないが、３〜１５μｍ程度が好ましい。
【００２６】
一次転写ローラーは、感光体４１に形成されたイエローのトナー像を中間転写ベルトＴに一次転写する。なお、他の作像部ＭＣＫも同様に、マゼンタ、シアン、ブラックのトナー像を中間転写ベルトＴに一次転写する。これにより、中間転写ベルトＴ上にＹＭＣＫ各色のカラーのトナー像が形成される。
【００２７】
中間転写ベルトＴは、複数のローラーに懸架され回転可能に支持された半導電性エンドレスベルトであり、ローラーの回転に伴って図中ｂ方向に回転駆動される。この中間転写ベルトＴは、一次転写ローラー４５により、対向するそれぞれの感光体４１に圧着される。一次転写ローラー４５のそれぞれには、印加された電圧に応じた転写電流が流れる。これにより、各感光体４１の表面に現像された各トナー像は、それぞれ各一次転写ローラー４５により順次中間転写ベルトＴに一次転写される。
【００２８】
二次転写ローラー４６は、中間転写ベルトＴに押圧されて従回転することで、当該中間転写ベルトＴに転写されて形成されたＹＭＣＫ各色のトナー像を給紙部５の給紙トレイ５１〜５３から搬送されてきた用紙Ｐに二次転写する。二次転写ローラー４６は、中間転写ベルトＴを介して二次転写対向ローラー４６１に当接して配置され、二次転写ローラー４６と二次転写対向ローラー４６１との間で形成される転写ニップを用紙Ｐが通過することにより、中間転写ベルトＴ上のトナー像が、用紙Ｐに二次転写される。
【００２９】
画像形成部４は、ＹＭＣＫ各色のトナー像が二次転写された用紙Ｐを定着装置Ｆにより加熱及び加圧し、その後所定の搬送路に通して機外に排出する。
以上が画像形成部４による一連の画像形成動作である。
【００３０】
除電装置４７は、一次転写後の感光体４１表面に残留する残留トナーを除電する。除電装置４７は、例えばＬＥＤ等の露光手段を備え、次の画像形成前に潜像を完全に消去し、次回の画像形成が確実に行われるようにする機能を有する。
【００３１】
クリーニング装置４８は、一次転写後の感光体４１表面に残留する残留トナーや紙紛等の残留物を除去する。クリーニング装置４８は、弾性体（例えばポリウレタンゴム）からなる平板状（シート状）のクリーニングブレードを感光体４１に当接させるブレードクリーニング方式を採用している。
ベルトクリーニング装置４９は、二次転写後の中間転写ベルトＴに残留する残留物を除去する。
【００３２】
潤滑剤塗布装置１００は、感光体４１の進行方向（回転方向）に対し、クリーニング装置４８の上流側に設置され、滑剤棒１０２から削り取った潤滑剤を感光体４１表面に塗布（供給）するとともに、一次転写ローラー４５によりトナー画像が転写された後の感光体４１の表面に残留しているトナーと外添剤の回収も行っている。
潤滑剤塗布装置１００は、図２及び図４に示すように、塗布ブラシ１０１（塗布部材）と、滑剤棒１０２と、押圧部材１０３と、回収ローラー１０４（回収部材）と、スクレーパー１０５と、回収スクリュー１０６を備えて構成されている。
【００３３】
塗布ブラシ１０１は、本発明でいう塗布部材に該当するもので、たとえば、ポリエステル繊維をループ状に織り込んだ布を金属シャフトに巻き付けてできたロール状のブラシ部材などがある。塗布ブラシ１０１は、塗布ブラシ駆動部１０１ｂ（図３参照）によって、感光体４１よりも遅い線速度で感光体４１の回転に対してカウンター回転する様に設定される。即ち、塗布ブラシ１０１の表面が、塗布ブラシ１０１と感光体４１との接触部において感光体４１と反対方向（図４中のｃ方向）に進行するように設定される。
また、塗布ブラシ１０１は、滑剤棒１０２及び感光体４１の双方と当接するように設置され、滑剤棒１０２から削り取った潤滑剤粒子（滑剤粉）を感光体４１まで搬送し、感光体４１に滑剤粉を供給する。塗布ブラシ１０１は、感光体４１の回転方向に対し、現像装置４４よりも感光体４１の回転方向下流側に、また、クリーニング装置４８よりも感光体４１の回転方向上流側に設置される。
さらに、塗布ブラシ１０１は、一次転写ローラー４５によりトナー画像が転写された後の感光体４１の表面に残留しているトナーと外添剤の回収も行っている。また、塗布ブラシ１０１は、滑剤粉を感光体４１に供給する際、感光体４１との当接圧により滑剤粉を感光体４１上に延展塗布する役割も担っている。
【００３４】
滑剤棒１０２は、粉体状の潤滑剤を固形化したものであり、感光体４１表面に塗布可能で且つ感光体４１の表面エネルギーを低下させてトナーと感光体４１との付着力を低減可能な材料（例えばステアリン酸亜鉛）から選択される。滑剤棒１０２は、上記の材料を溶融して成形する若しくは上記材料の粒子を圧縮成型することで、塗布ブラシ１０１により削り取ることが可能な形状に整えられて使用される。感光体４１表面に供給された滑剤粉は、塗布ブラシ１０１の下流に設置されたクリーニング装置４８により感光体４１表面に成膜されて皮膜を形成する。ステアリン酸亜鉛で形成された皮膜は、離型性が高く（即ち純水接触角が高く）摩擦係数が小さいことから、転写性及びクリーニング性がよく、且つ感光体４１の減耗も抑制されて長寿命化を達成することができる。
【００３５】
押圧部材１０３は、例えば、圧縮バネであり、滑剤棒１０２を塗布ブラシ１０１に対して押圧保持する。
【００３６】
回収ローラー１０４は、本発明でいう回収部材に該当するもので、ステンレス等の金属製のローラーであり、回収ローラー駆動部１０４ｂ（図３参照）によって、塗布ブラシ１０１に対してカウンター回転する様に設定されている。即ち、回収ローラー１０４の表面が、回収ローラー１０４と塗布ブラシ１０１との接触部において、塗布ブラシ１０１と反対方向（図４中のｄ方向）に進行するように設定されている。
なお、感光体４１から塗布ブラシ１０１に回収された残留トナーは、塗布ブラシ１０１の回転により回収ローラー１０４まで搬送される。そして、回収ローラー１０４にはステンレス板のスクレーパー１０５が当接しており、回収ローラー１０４上に搬送、回収された残留トナーを掻き落とす。
【００３７】
回収スクリュー１０６は、図示しない駆動装置により所定の方向に回転可能に構成され、スクレーパー１０５により除去されて上方から落下してきたトナーを回収して排出する。回収スクリュー１０６は、回収したトナーを、図示しないトナーリサイクル装置を介して現像装置４４に搬送するか又は図示しない廃トナーボックスに収容する。
【００３８】
図４に示す様に、前述の塗布ブラシ１０１には、ブラシバイアス印加部１０１ａ（第１電圧印加部）により、ブラシバイアスＶＢＲが印加されている。また、回収ローラー１０４には、回収バイアス印加部１０４ａ（第２電圧印加部）により、回収バイアスＶＦＬが印加されている。
【００３９】
給紙部５は、複数の給紙トレイ５１〜５３を備えて構成され、各給紙トレイ５１〜５３に種類の異なる複数の用紙Ｐを収容する。給紙部５は、所定の搬送路により収容される用紙Ｐを画像形成部４に給紙する。
【００４０】
記憶部６は、ＨＤＤ（Hard Disk Drive）、半導体メモリーなどにより構成され、プログラムデータや各種設定データ等のデータを制御部１０から読み書き可能に記憶する。
【００４１】
操作表示部７は、例えば、タッチパネル付の液晶ディスプレイ（ＬＣＤ）で構成され、表示部７１及び操作部７２として機能する。
表示部７１は、制御部１０から入力される表示制御信号に従って、各種操作画面、各機能の動作状況等の表示を行う。また、ユーザーによるタッチ操作を受け付けて、操作信号を制御部１０に出力する。
操作部７２は、テンキー、スタートキー等の各種操作キーを備え、ユーザーによる各種入力操作を受け付けて、操作信号を制御部１０に出力する。ユーザーは、操作表示部７を操作して、画質設定、倍率設定、応用設定、出力設定及び用紙設定等の画像形成に関する設定、用紙搬送指示、並びに装置の停止操作などを行うことができる。
【００４２】
温湿度検出部８は、温度センサーや湿度センサー等を備えて構成され、画像形成装置１の筐体内の温度や湿度を検知し、検知結果を制御部１０に出力する。
【００４３】
制御部１０は、ＣＰＵ、ＲＡＭ、ＲＯＭ等を備えて構成され、ＣＰＵはＲＯＭに記憶されている各種プログラムをＲＡＭに展開し、展開された各種プログラムと協働して、自動原稿搬送部２、スキャナー部３、画像形成部４、給紙部５、記憶部６、操作表示部７、温湿度検出部８などの画像形成装置１の各部の動作を統括的に制御する（図３参照）。例えば、制御部１０は、スキャナー部３からの電気信号を入力して各種画像処理を行い、画像処理により生成されたＹＭＣＫ各色の画像データＤｙ、Ｄｍ、Ｄｃ、Ｄｋを画像形成部４に出力する。また、制御部１０は、画像形成部４の動作を制御して用紙Ｐに画像を形成する。
【００４４】
[滑剤塗布装置の印加電圧]
続いて、本実施形態に係る潤滑剤塗布装置１００の塗布ブラシ１０１及び回収ローラー１０４に印加される電圧の制御方法について、図面を参照して説明する。
【００４５】
本実施形態に係る画像形成装置１は、塗布ブラシ１０１による感光体４１上の残留トナーの除去性、及び回収ローラー１０４による塗布ブラシ１０１に付着したトナーの回収性をそれぞれ制御することを特徴とする。
具体的には、除去性及び回収性を相対的に高くすることで感光体４１上の滑剤量を比較的中間的な値とするモード１（第１のモード）と、除去性を相対的に高くするとともに回収性を相対的に低くすることで感光体４１上の滑剤量を比較的高い値とするモード２（第２のモード）と、除去性を相対的に低くするとともに回収性を相対的に高くすることで感光体４１上の滑剤量を比較的低い値とするモード３（第３モード）と、を実行する。
モード１におけるブラシバイアスＶＢＲ（第１印加電圧値）と回収バイアスＶＦＬ（第２印加電圧値）との差が、モード２におけるブラシバイアスＶＢＲと回収バイアスＶＦＬとの差よりも大きくなるように制御する。また、モード３におけるブラシバイアスＶＢＲが、モード１及びモード２におけるブラシバイアスＶＢＲよりも小さくなるように制御する。
【００４６】
より具体的には、例えば、ブラシバイアスＶＢＲは０Ｖと＋４００Ｖとの二段階で切り替えられるように制御され、回収バイアスＶＦＬは＋４００Ｖ、＋６００Ｖ、＋１０００Ｖの三段階で切り替えられるように制御されている。回収電位差ΔＶ＝ＶＦＬ−ＶＢＲと定義し、ΔＶ＝０Ｖ又は６００Ｖとすると、各モードの印加電圧は以下のようになる。
モード１：ＶＢＲ＝＋４００Ｖ、ＶＦＬ＝＋１０００Ｖ  （ＶＦＬ＞ＶＢＲ＞０Ｖ）
モード２：ＶＢＲ＝＋４００Ｖ、ＶＦＬ＝＋４００Ｖ    （ＶＦＬ＝ＶＢＲ＞０Ｖ）
モード３：ＶＢＲ＝０Ｖ、ＶＦＬ＝＋６００Ｖ          （ＶＦＬ＞ＶＢＲ＝０Ｖ）
【００４７】
モード１について説明する。
現像装置４４によって、転写前のトナーは負極性に帯電する。残留トナーは現像直後の状態よりも除電されているものの、負極性のものがほとんどである。そのためほとんどのトナーが塗布ブラシ１０１によって回収されることとなり、クリーニング装置４８にはトナーがほとんど到達しないため、クリーニング装置４８での研磨作用は小さい。また塗布ブラシ１０１で回収されたトナーは、回収ローラー１０４によって回収される。塗布ブラシ１０１はきれいな状態で滑剤棒１０２を削るので、滑剤消費量は制限される。滑剤棒１０２から掻き取った滑剤粉は塗布ブラシ１０１の感光体４１との摺擦部まで搬送され、感光体４１に転移する。ただし、滑剤粉は弱マイナス荷電の帯電をしているため、ブラシバイアスＶＢＲの影響で感光体４１に移動しないものも存在する。それらの滑剤粉はトナーと一緒に回収ローラー１０４に回収される。その結果、感光体４１上の滑剤量は、３つのモードの中で中間的な状態で維持される。
【００４８】
モード２について説明する。
塗布ブラシ１０１がトナーを回収し、クリーニング装置４８の研磨作用が小さい点ではモード１と同様である。回収電位差ΔＶ＝０Ｖであるため、塗布ブラシ１０１で回収したトナーの半分程度は回収ローラー１０４に回収されない。その結果、滑剤棒１０２を削る作用が大きくなり、滑剤消費量が大きくなる。さらに感光体４１に移動しなかった滑剤粉は回収ローラー１０４でも電気的に回収されにくいため、再び感光体４１に供給されやすくなっている。その結果、感光体４１上の滑剤量は多い状態で維持される。
【００４９】
モード３について説明する。
塗布ブラシ１０１がトナーを回収しにくいため、クリーニング装置４８に到達したトナーの研磨作用が大きくなる。さらに回収電位差ΔＶ＝６００Ｖであるため、塗布ブラシ１０１はきれいな状態となり、滑剤消費量が小さくなる。また滑剤粉は回収ローラー１０４によって回収されるため、感光体４１上の滑剤量は少なくなる。
【００５０】
図５は、モード１、モード２、モード３のそれぞれで潤滑剤塗布装置１００を稼働した場合の感光体４１上滑剤量を示した図である。図１及び図２と同様の構成の評価機（ただし転写部はなし）を作成して実験し、プロセス速度は４６０ｍｍ／ｓ、塗布ブラシ１０１の線速度は４６０ｍｍ／ｓ（感光体４１に対し線速比θ=１．０）、回収ローラー１０４の線速度は６９ｍｍ／ｓ（塗布ブラシ１０１に対し線速比θ＝０．１５）、評価環境は１０℃×２０％、１０分間駆動させたときの感光体上の滑剤量をＥＳＣＡで測定した結果である。白部は露光を一切行わない部分、ベタ部は終始露光させた状態の部分であり、長手方向の約１／３の領域をベタ部とした。また、ベタ部の現像量は残留トナーと同等のトナー量（約０．２ｇ／ｍ２）になるように感光体表面電位、現像電位を調整した。モード１は滑剤量が中間的な値（１．０ａｔ％程度）であり、モード２はモード１に比べて滑剤量が多く（１．６ａｔ％程度）、モード３はモード１に滑剤量が少ない（０〜０．３ａｔ％）ことが示された。
【００５１】
次いで、各モード間の切り替えについて説明する。
各作像部ＹＭＣＫの状態によってモード１からモード２に切り替え、モード１、モード２問わず、各作像部ＹＭＣＫの使用環境によってモード３に切り替える。モード１からモード２への切り替えは各作像部ＹＭＣＫの駆動時間、滑剤棒１０２の残量に応じて行い、この切り替えは不可逆である。これに対し、モード３への切り替えは各作像部ＹＭＣＫ周辺の絶対湿度に応じて行い、この切り替えは可逆とし、使用環境が通常に戻ったときにはモードを切り替える前の状態（モード１あるいはモード２）に戻す。
【００５２】
モード１からモード２への切り替えについて説明する。
各作像部ＹＭＣＫのライフサイクルの前半はクリーニング装置４８の摩耗が少なく、クリーニング能力が高いため、滑剤量が少なくてもトナーのすり抜けを抑制することができる。またクリーニング装置４８は感光体４１からの摩擦力で摩耗するが、通常はブレードエッジ先端部に堆積した外添剤が少しずつすり抜けることで、感光体４１から受ける摩擦力を低減している。ところが滑剤量が多いと外添剤のすり抜けが極端に抑制され、結果的に感光体４１から受ける摩擦力が大きくなり、ブレード摩耗が進行する。このことから、初期的には滑剤量をある程度少なくすることが、ブレード摩耗抑制に有効である。
一方で、ライフサイクルの後半になるとクリーニング装置４８の摩耗が多くなり、滑剤量が少ないままだとトナーのすり抜けが激しくなる。トナーのすり抜けは感光体４１の滑剤層を削ることになり、さらに滑剤量を減少させるため、一気にクリーニング不良として画像に現れる。このことから、使用後半では滑剤量を増やしてトナーのすり抜けを抑制することで各作像部ＹＭＣＫのライフをさらに伸ばすことができる。
【００５３】
各作像部ＹＭＣＫの使用状態を見積もる手段として、駆動時間又は滑剤棒１０２の残量で見積もることが可能である。駆動時間は各作像部ＹＭＣＫのライフを表している。
駆動時間は感光体４１の駆動モーターの稼働時間をメモリーに積算していくことで可能である。また、印字枚数をカウントして、印字枚数によって切り替え制御をしても良い。
滑剤棒１０２の消費量も駆動時間に比例する。滑剤棒１０２の残量検知については直接的にその位置を測定することで可能になる。滑剤棒１０２は消耗してくると、図示しない支持板金（滑剤棒１０２を支持している支持部材）の位置が徐々に移動し、塗布ブラシ１０１に近づいてくる。たとえば、この支持板金の位置を検知することで滑剤棒１０２の残量を検知することが可能である。位置の検知は一般的な変位センサーを用いて連続的に残量を監視してもよく、またフォトセンサーを設置して滑剤棒１０２の消費量が所定の消費量を上回ったことを知らせるようにしてもよい。あるいは、滑剤棒１０２の押圧力を直接測定することが可能であり、押圧部材１０３の力量を直接測定することができる。この場合、たとえば押圧部材１０３の支持部（滑剤棒１０２に当接する端部の反対側の端部）に押圧センサーを設置することで可能になる。押圧センサーはシート状のものやロードセルを使用できる。
【００５４】
モード３への切り替えについて説明する。
一般的に滑剤塗布を行う各作像部ＹＭＣＫは感光体４１の減耗量が小さくなる。帯電装置４２で発生した放電生成物（窒素酸化物）が感光体４１に付着し、空気中の水分と結合するとイオン化し、静電潜像が維持できなくなり、にじんだような画像、いわゆる像流れが発生する。通常は放電生成物をクリーニング装置４８で除去しているが、減耗量が小さくなるとこの放電生成物の除去もできなくなり、像流れが発生しやすくなる。したがって像流れが発生しやすい環境では、滑剤量を少なくすることが有効になる。
像流れが発生しやすい環境とは、空気中の水分量が多い状態、つまり絶対湿度が高い状態である。特に絶対湿度が２０ｇ／ｍ３を超えると、像流れが発生するリスクが高くなる。このような状態の時にモード３に切り替えることで、像流れの発生を抑制できる。絶対湿度は温度と湿度の関数であるので、温度と湿度を検知して温度湿度のマトリックス（高温、高湿ほど絶対湿度高い）で制御を行ってもよい。本実施形態においては、温湿度検出部８によって温度及び湿度を検知するものとする。
【００５５】
続いて、本実施形態に係る画像形成装置１の動作について、図６のフローチャートを用いて説明する。図６においては、各作像部ＹＭＣＫは初期状態から使用開始するものとし、即ちクリーニング装置４８や滑剤棒１０２は未使用ものを使用するものとする。ここでは作像部Ｙを例にとり説明するが、作像部Ｍ，Ｃ，Ｋについても同様の説明を適用可能であり、個々の作像部について別個に下記の制御を行うものとする。
なお、図６における画像形成装置１の動作は、制御部１０と記憶部６に記憶されているプログラムとの協働により実現される。
【００５６】
まず、作像部Ｙの使用を開始すると、制御部１０は、ブラシバイアスＶＢＲと回収バイアスＶＦＬをモード１の電圧に設定する（ステップＳ６０１）。
【００５７】
続いて、制御部１０は、作像部Ｙを所定の駆動時間だけ駆動したか否かを判断する（ステップＳ６０２）。所定の駆動時間とは、上記したようにクリーニング装置４８のブレード摩耗が進行し、トナーのすり抜けが発生すると見込まれる駆動時間を指す。制御部１０は、所定の駆動時間だけ駆動したと判断すると（ステップＳ６０３：ＹＥＳ）、ブラシバイアスＶＢＲと回収バイアスＶＦＬをモード２の電圧に切り替えるが（ステップＳ６０３）、所定の駆動時間だけ駆動していないと判断すると（ステップＳ６０３：ＮＯ）、ステップＳ６０９へと移行する。
なお、ここではモード１とモード２との切り替えのタイミングを駆動時間によって判断するものとしたが、上記したように滑剤棒１０２の消費量が所定の消費量を上回ったか否かによって判断することも可能である。
【００５８】
ステップＳ６０３の後、制御部１０は、Ｈ１≧Ｈであるか否かを判断する（ステップＳ６０４）。ここで、Ｈ１とは温湿度検出部８によって検出された温度及び湿度に基づいて、制御部１０によって算出された絶対湿度であり、Ｈは上記したように像流れが発生しやすいと予想される所定の絶対湿度である。なお、所定の絶対湿度は予め記憶部６によって記憶されている。制御部１０は、Ｈ１≧Ｈではないと判断すると（ステップＳ６０４：ＮＯ）、ステップＳ６０５へと移行する。
ステップＳ６０５では、制御部１０は、作像部Ｙの各部品の交換時期であるか否かを判断する。即ち、制御部１０は、クリーニング装置４８のブレード交換時期や、滑剤棒１０２の交換時期等であるかを判断し、交換時期であると判断すると（ステップＳ６０５：ＹＥＳ）、制御を終了するが、交換時期ではないと判断すると（ステップＳ６０５：ＮＯ）、ステップＳ６０４へと戻る。
【００５９】
ステップＳ６０４において、制御部１０は、Ｈ１≧Ｈである、即ち像流れが発生しやすい使用環境であると判断すると（ステップＳ６０４：ＹＥＳ）、ブラシバイアスＶＢＲと回収バイアスＶＦＬをモード３の電圧に切り替える（ステップＳ６０６）。
【００６０】
ステップＳ６０６の後、制御部１０は、Ｈ１＜Ｈであるか否かを判断する（ステップＳ６０７）。制御部１０は、Ｈ１＜Ｈである、即ち像流れが発生しやすい使用環境ではなくなったと判断すると（ステップＳ６０７：ＹＥＳ）、ステップＳ６０３へと戻るが、Ｈ＜Ｈ１ではないと判断すると、交換時期か否かを判断する（ステップＳ６０８）。ステップＳ６０８において、制御部１０は、交換時期であると判断すると（ステップＳ６０８：ＹＥＳ）、制御を終了するが、交換時期ではないと判断すると（ステップＳ６０８：ＮＯ）、ステップＳ６０７へと戻る。
【００６１】
ステップＳ６０９では、制御部１０は、Ｈ１≧Ｈであるか否かを判断し、Ｈ１≧Ｈではないと判断すると（ステップＳ６０９：ＮＯ）、交換時期か否かを判断し（ステップＳ６１０）、交換時期であると判断すると（ステップＳ６１０：ＹＥＳ）、制御を終了するが、交換時期ではないと判断すると（ステップＳ６１０：ＮＯ）、ステップＳ６０２へと戻る。
【００６２】
ステップＳ６０９において、Ｈ１≧Ｈであると判断すると（ステップＳ６０９：ＹＥＳ）、ブラシバイアスＶＢＲと回収バイアスＶＦＬをモード３の電圧に切り替え（ステップＳ６１１）、Ｈ１＜Ｈであるか否かを判断し（ステップＳ６１２）、Ｈ１＜Ｈであると判断すると（ステップＳ６１２：ＹＥＳ）、ステップＳ６０１へと移行するが、Ｈ１＜Ｈではないと判断すると（ステップＳ６１２：ＮＯ）、交換時期であるか否かを判断し（ステップＳ６１３）、交換時期であると判断すると（ステップＳ６１３：ＹＥＳ）、制御を終了するが、交換時期ではないと判断すると（ステップＳ６１３：ＮＯ）、ステップＳ６１２へと戻る。
【００６３】
以上説明したように、本実施形態に係る画像形成装置１は、粉体状の潤滑剤を固形化した滑剤棒１０２と、感光体４１に供給された滑剤を押圧して被膜化するクリーニング装置４８と、滑剤を感光体４１に供給するとともに、感光体４１に付着した残留トナーを除去する塗布ブラシ１０１と、塗布ブラシに付着したトナーを回収する回収ローラー１０４と、を備える潤滑剤塗布装置１００と、塗布ブラシ１０１の除去性と、回収ローラー１０４の回収性と、をそれぞれ変更することで、感光体４１上の滑剤量を制御する制御部１０と、を備える。したがって、除去性及び回収性をそれぞれ独立に制御することができるため、感光体上の滑剤量を適切な量に維持することで、作像部の長期にわたる安定したクリーニング性を確保し、長寿命化を実現可能することができる。
【００６４】
また、本実施形態に係る画像形成装置１は、塗布ブラシ１０１に電圧を印加するブラシバイアス印加部１０１ａと、回収ローラー１０４に電圧を印加する回収バイアス印加部１０４ａと、を備え、制御部１０によってブラシバイアスＶＢＲ及び回収バイアスＶＦＬがそれぞれ変更されることにより、除去性及び回収性が変更される。したがって、塗布ブラシ１０１等の回転速度を制御する場合に比べて、塗布ブラシ１０１の感光体４１に対する摺擦力に影響を与えることなく滑剤量を調整することができる。
【００６５】
また、本実施形態に係る画像形成装置１は、モード１、モード２及びモード３のいずれかを実行し、モード１におけるブラシバイアスＶＢＲと回収バイアスＶＦＬとの差が、モード２におけるブラシバイアスＶＢＲと回収バイアスＶＦＬとの差よりも大きく、モード３におけるブラシバイアスＶＢＲがモード１及びモード２におけるブラシバイアスＶＢＲよりも小さくなるように制御することで、モード１において除去性及び回収性を相対的に高い値とし、モード２において除去性を相対的に高い値とするとともに回収性を相対的に低い値とし、モード３において除去性を相対的に低い値とするとともに回収性を相対的に高い値とする。したがって、３つのモードのうちいずれかを選択することで、状況に応じた滑剤量の調整が可能となる。
【００６６】
また、本実施形態に係る画像形成装置１は、各作像部ＹＭＣＫの駆動時間が所定の駆動時間を上回った場合、または滑剤棒１０２の消費量が所定の消費量を上回った場合に、モード１からモード２へ切り替える。したがって、作像部の連続使用によるクリーニング不良を抑制し、作像部のライフを伸ばすことができる。
【００６７】
また、本実施形態に係る画像形成装置１は、各作像部ＹＭＣＫの近傍の絶対湿度が所定の絶対湿度を上回った場合にモード１又はモード２からモード３に切り替え、絶対湿度が所定の絶対湿度を下回った場合に、モード３からモード１又はモード２に切り替える。したがって、高温高湿条件下のように像流れが発生しやすい環境で、滑剤量を少なくすることで像流れを効果的に抑制することが可能である。
【００６８】
なお、上記実施形態においては、除去性、回収性を制御する方法として主に塗布ブラシ１０１、回収ローラー１０４への印加電圧を調整することで説明をしたが、この他にもそれぞれの回転数を変更することでも制御可能である。特に塗布ブラシ１０１、回収ローラー１０４の回転方向がウィズ回転（回収ローラー１０４の表面が、回収ローラー１０４と塗布ブラシ１０１との接触部において塗布ブラシ１０１と同一方向に進行する）の場合、線速比θが１以上の領域では、回転数で大きく除去性、回収性を調整することができる。なお、回転数は塗布ブラシ駆動部１０１ｂ又は回収ローラー駆動部１０４ｂによって、各々変更される。
たとえば３つのモードに対して以下のような線速比θの設定が考えられる。なお、感光体４１に対する塗布ブラシ１０１の線速比をθＢＲ、塗布ブラシ１０１に対する回収ローラー１０４の線速比をθＦＬとする。
モード１：θＢＲ＝１．５、θＦＬ＝１．５  （θＦＬ＝θＢＲ＞１．０）
モード２：θＢＲ＝１．５、θＦＬ＝１．０  （θＢＲ＞θＦＬ＝１．０）
モード３：θＢＲ＝１．０、θＦＬ＝１．５  （θＦＬ＞θＢＲ＝１．０）
モード１では、感光体４１に対する塗布ブラシ１０１の線速が大きく、また塗布ブラシ１０１に対する回収ローラー１０４の線速が大きいため、除去性及び回収性が相対的に高い値となる。モード２では、感光体４１に対する塗布ブラシ１０１の線速が大きいため、除去性が比較的高い値となる一方で、塗布ブラシ１０１と回収ローラー１０４との線速が同一であるため回収性が相対的に低い値となる。モード３では、感光体４１と塗布ブラシ１０１との線速が同一であるため除去性が相対的に低い値となる一方で、塗布ブラシ１０１に対する回収ローラー１０４の線速が大きいため回収性が相対的に高い値となる。
【００６９】
［他の実施形態］
以上、本発明に係る実施形態に基づいて具体的に説明したが、上記の実施形態は本発明の好適な例であり、これに限定されない。
【００７０】
例えば、上記実施形態においては、表面に感圧式導電性ゴムを有した感光体４１を用いたが、これに限定されるものではない。例えば、カーボンブラック等の導電性粒子を配合した電子導電系の導電性ゴムを利用することも可能であり、この場合もゴムの体積変化で抵抗値が変化するため、本発明の効果を得ることができる。
【００７１】
また、上記実施形態においては、滑剤棒１０２を塗布ブラシ１０１に対して押圧保持する押圧部材１０３を備える構成を例示して説明しているが、これに限定されるものではない。即ち、押圧部材１０３は本発明に必須の構成ではなく、例えば、滑剤棒１０２を塗布ブラシ１０１に対して上方に配置するようにし、滑剤棒１０２の自重により塗布ブラシ１０１に対して押圧力を与えるようにしてもよい。
【００７２】
また、上記実施形態においては、回収部材として回収ローラー１０４を用いるものとしたが、これに限定されない。例えば、スクレーパー等の金属板を塗布ブラシ１０１に当接させ、当該金属板に電圧を印加する構成としてもよい。この場合は塗布ブラシの回転数による制御はできないが、塗布ブラシ１０１及び金属板に印加する電圧を制御することによって、上記実施形態と同様の効果を得られる。
【００７３】
また、上記実施形態においては、感光体４１及び現像装置４４をＹＭＣＫ各色用に４組用意してそれぞれにＹＭＣＫの各色の画像を形成させ、中間転写ベルトＴ上で重ね合わせるカラーの画像形成装置を例示して説明しているが、これに限定されるものではない。例えば、感光体４１と現像装置４４とを１組のみ有する単色の画像形成装置に対しても、本発明を適用することができる。
また、中間転写ベルトＴや一次転写ローラー４５、二次転写対向ローラー４６１等を省略して、感光体４１から直接用紙Ｐに転写する直接転写方式の画像形成装置に対しても、本発明を適用することができる。
その他、従来から用いられる電子写真各プロセス技術は、画像形成装置の目的に応じて任意の構成と組み合わせることができる。
【００７４】
以上、本発明に係る実施形態に基づいて具体的に説明したが、画像形成装置を構成する各装置の細部構成及び各装置の細部動作に関しても、本発明の主旨を逸脱することのない範囲で適宜変更可能である。
【符号の説明】
【００７５】
１  画像形成装置
４  画像形成部
４１  感光体（像担持体）
４２  帯電装置
４３  露光装置
４４  現像装置
４７  除電装置
４８  クリーニング装置（クリーニング部）
１００  潤滑剤塗布装置
１０１  塗布ブラシ（塗布部材）
１０１ａ  ブラシバイアス印加部（第１電圧印加部）
１０２  滑剤棒
１０３  押圧部材
１０４  回収ローラー（回収部材）
１０４ａ  回収バイアス印加部（第２電圧印加部）
１０５  スクレーパー
１０６  回収スクリュー
８  温湿度検出部
１０  制御部
Ｙ  イエロー作像部（作像部）
Ｍ  マゼンタ作像部（作像部）
Ｃ  シアン作像部（作像部）
Ｋ  ブラック作像部（作像部）
【図１】
2019124724.tif 000003
【図２】
2019124724.tif 000004
【図３】
2019124724.tif 000005
【図４】
2019124724.tif 000006
【図５】
2019124724.tif 000007
【図６】
2019124724.tif 000008